(57)【特許請求の範囲】
【請求項１】
建物開口部に設置される枠体と、框組みしてなり枠体に対して開閉自在に支持される障子と、縦框の回転を抑止する框回転防止手段とを備え、
框回転防止手段は、縦枠の内周面に設けられる枠側回転防止部材と、縦框の枠側回転防止部材と対向する外周面に設けられる框側回転防止部材とからなり、
枠側回転防止部材は室内側見付け面と内周突出部とを有し、框側回転防止部材は室外側見付け面を有しており、
障子の閉鎖状態において、枠側回転防止部材の室内側見付け面が框側回転防止部材の室外側見付け面と対向しているとともに、枠側回転防止部材の内周突出部が縦框の外周面に近接しており、縦框が回転することで縦框の外周面に当接することを特徴とする建具
【発明の詳細な説明】
【技術分野】
【０００１】
開口部に設けられる枠体に対して、障子を開閉自在に支持してなる建具に関する。
【背景技術】
【０００２】
従来、建物開口部に設けられる建具、特に、開き窓においては、障子を枠体に引き寄せる引寄手段が設けられており、障子の閉鎖時に障子を枠体に引き寄せることで気密性を維持している。
【先行技術文献】
【特許文献】
【０００３】
【特許文献１】実用新案登録第２５０３８５８号
【発明の概要】
【発明が解決しようとする課題】
【０００４】
近年、建物の開口部の形状は多様性を増し、縦に長い建具が求められることがあるが、縦に長い建具においては、建具に負圧がかかった場合に長尺の縦框のねじれ、すなわち最大回転角度が大きくなり、特に、引寄手段により框外周側の見込み方向への移動が阻止されている場合には、負圧により框を回転させる力が働きやすく、框が引寄手段から外れてしまう可能性があった。
【０００５】
本発明は、上記の事情を鑑みたものであり、建具に負圧等の外力が生じた場合であっても、框の回転を抑え、障子が枠体から外れることを抑制することを目的とする。
【課題を解決するための手段】
【０００６】
本発明は、建物開口部に設置される枠体と、框組みしてなり枠体に対して開閉自在に支持される障子と、縦框の回転を抑止する框回転防止手段とを備え、框回転防止手段は、縦枠の内周面に設けられる枠側回転防止部材と、縦框の枠側回転防止部材と対向する外周面に設けられる框側回転防止部材とからなり、枠側回転防止部材は室内側見付け面と内周突出部とを有し、框側回転防止部材は室外側見付け面を有しており、障子の閉鎖状態において、枠側回転防止部材の室内側見付け面が框側回転防止部材の室外側見付け面と対向しているとともに、枠側回転防止部材の内周突出部が縦框の外周面に近接しており、縦框が回転することで縦框の外周面に当接することを特徴とする。
【発明の効果】
【０００７】
障子に対して負圧がかかった状態においても、框のねじれや回転等の変形を抑え、障子が枠体に設けた引寄手段等から外れて脱落することを抑制できる。
【図面の簡単な説明】
【０００８】
【図１】本発明の実施形態に係る縦すべり出し窓の内観図である。
【図２】本発明の実施形態に係る縦すべり出し窓の縦断面図である。
【図３】本発明の実施形態に係る縦すべり出し窓の横断面図である。
【図４】本発明の実施形態に係る縦すべり出し窓に装着される引寄手段の図であり，（ａ）は枠側引寄部材の斜視図、（ｂ）は框側引寄部材の斜視図である。
【図５】本発明の実施形態に係る縦すべり出し窓に装着される框回転防止手段の図であり、（ａ）は框回転防止手段を構成する枠側回転防止部材の斜視図、（ｂ）は框回転防止手段を構成する框側回転防止部材の斜視図である。
【図６】本発明の実施形態に係る縦すべり出し窓の閉鎖動作状態における左縦枠及び左縦框の引寄手段が装着されている部位の横断面図であり、（ａ）が閉鎖動作途中の横断面図、（ｂ）は閉鎖動作完了後の横断面図である。
【図７】本発明の実施形態に係る縦すべり出し窓の閉鎖動作状態における左縦枠及び左縦框の框回転防止手段が装着されている部位の横断面図であり、（ａ）が閉鎖動作途中の横断面図、（ｂ）は閉鎖動作完了後の横断面図である。
【図８】本発明の実施形態に係る縦すべり出し窓に負圧がかかった際の框回転防止手段が装着されている部位の状態を説明するための図であり、（ａ）は負圧がかかる前の横断面図、（ｂ）は負圧がかかって框が室外側に移動した後の横断面図、（ｃ）は負圧がかかって框が反時計回りに回転した後の横断面図である。
【発明を実施するための形態】
【０００９】
（縦すべり出し窓の構成）
本発明を、実施形態として大開口の縦すべり出し窓を用いて説明する。
本発明の実施形態に係る縦すべり出し窓は、図１乃至３に示されるように、建物の外周に配置され上枠１１，下枠１２及び左右の縦枠１３，１４を四周に組んでなる枠体１に対して、上框２１，下框２２及び左右の縦框２３，２４を四周に組んで内周にガラス等パネルを装着してなる障子２を、図示しない開閉機構により、左縦框２３を吊元側框とする縦すべり出し窓として構成されている。
そして、吊元側である左縦枠１３と左縦框２３との間には、上下２カ所に引寄手段５，５を有するとともに、引寄手段５，５の間には、負圧による吊元側框の回転を防止する框回転防止手段６が配置されており、戸先側である右縦枠１４と右縦框２４との間には、高さ方向の複数箇所（図１では４カ所）にロックピン７が配置されている。
【００１０】
枠体１を構成する上枠１１は、図２に示すように、建物開口部に固定され枠体１の内周面を形成する上枠本体部１１１と、上枠本体部１１１の室内側下面より下方に垂下される室内側垂下壁部１１２と、上枠本体部１１１の室外側下面より下方に延設される上気密材取付部１１３とから構成されており、室内側垂下壁部１１２の室外側面の下方位置には障子２の上框２１の室内側見付面に当接する気密材ｓ１が取り付けられるとともに、上気密材取付部１１３には、障子２の上框２１の室外側上端に当接する気密材ｓ２が下方に向けて取り付けられている。
下枠１２は、建物開口部に固定され枠体１の内周面を形成するとともに室外側下方に中空の水切り部を有する下枠本体部１２１と、下枠本体部１２１の室内側に立ち上がる中空構造の立上壁１２２と、立上壁１２２に係合されて上方に延びる下枠補助枠１２３とから構成されており、下枠補助枠１２３の室外側面の上方位置には障子２の下框２２の室内側見付け面に当接する気密材ｓ１が取り付けられている。
【００１１】
枠体１を構成する左右の縦枠１３、１４は、図３に示すように、略同一形状をなしており、それぞれ建物開口部に固定され枠体１の内周面を形成する左右の縦枠本体部１３１，１４１と、縦枠本体部１３１，１４１の室内側内周面より内周方向に延設される左、右内壁部１３２，１４２とから構成されており、左、右内壁部１３２，１４２の室外側面内周端には障子２の左、右縦框２３，２４の室内側見付面に当接する気密材ｓ１，ｓ１が取り付けられている。
【００１２】
障子２を構成する上框２１は、図２に示すように、障子２の上方外周面を形成する中空部の室外側内周面よりガラス間口を構成する室外側間口壁２１１ａが垂下されてなる上框本体部２１１と、上框本体部２１１の外周面の室外側端より上方に延設される上框室外壁部２１２と、上框本体部２１１の室内側内周面に取り付けられてガラス間口を形成する押縁２１３とから構成されている。
障子２を構成する下框２２は、障子２の下方外周面を形成する中空部の内周面にガラス間口が形成されてなる下框本体部２２１と、下框本体部２２１の外周面の室外側端より下方に垂下される下框外壁部２２２とから構成されている。
【００１３】
障子２を構成する左右の縦框２３、２４は、図３に示すように、略同一形状をなしており、それぞれ障子２の外周面を形成する中空部の室外側内周面よりガラス間口を構成する室外側間口壁２３１ａ，２４１ａが形成されてなる左右の縦框本体部２３１，２４１と、左右の縦框本体部２３１，２４１の外周面の室外側端より外周方向に延設される左、右縦框外壁部２３２，２４２と、左、右縦框本体部２３１，２４１の屋内側内周面に取り付けられてガラス間口を構成する押縁２３３，２４３とから構成されている。
左、右縦框２３，２４の左、右縦框外壁部２３２，２４２の外周端部には、外周方向にヒレ片を有する気密材ｓ３が取り付けられている。
そして、図示しないオペレータハンドル等を操作することで、周知の開閉機構によって左縦框を吊元側として右縦框が外方へ開放するように、枠体１に対して障子２が縦すべり出し開閉自在に支持されている。
【００１４】
（引寄手段の構成）
本実施形態のような縦すべり出し窓においては、吊元側の左縦框２３を枠体１の左縦枠１３に設けた気密材ｓ１に圧接して確実な気密をはかるために、左縦枠１３及び左縦框２３の間に引寄手段５が設けられている。
本実施形態の縦すべり出し窓の引寄手段５は、例えば図１に示すように、建具の吊元側高さ方向の上下２カ所の位置に設けられており、枠体１の左縦枠１３の内周面に固定される枠側引寄部材５１と、障子２の左縦框２３の外周面であって、枠側引寄部材５１と対向する高さ位置に固定される框側引寄部材５２とにより構成されている。
【００１５】
枠側引寄部材５１は、合成樹脂等からなり、図４（ａ）に示すように、裏面を左縦枠１３の内周面に対する取付面５１ａとし、取付面５１ａの長手方向に沿って一方側（以下、単に「一方側」という。）に垂直に立ち上がる垂直壁面５１ｂ、長手方向に沿って他方側（以下、単に「他方側」という。）に斜めに立ち上がる傾斜面５１ｃとを有する断面三角形状の短尺のブロック体に形成され、長手方向２カ所には、左縦枠１３に対する取付けのためのビス孔５１ｄ，５１ｄが上下方向に貫通するように設けられている。
【００１６】
そして、枠側引寄部材５１は、取付面５１ａの一方側が室外側、他方側が室内側となるように取付面５１ａを左縦枠１３の内周面に当接させて、ビス孔５１ｄ，５１ｄを介してビス等の固定手段により固定することで、左縦枠１３の外周面に配置される。
枠側引寄部材５１が左縦枠１３の内周面に配置されることにより、枠側引寄部材５１の傾斜面５１ｃは室内側に向き、内周側にいくにしたがって室外側に傾斜する枠側引寄面５１１となる。
【００１７】
一方、框側引寄部材５２は、合成樹脂等からなり、図４（ｂ）に示すように、裏面を左縦框２３の外周面に対する取付面５２ａとし、取付面５２ａの一方側に沿って垂直に立ち上がる垂直壁面５２ｂと、取付面５２ａの他方側に沿って斜めに立ち上がる傾斜面５２ｃとからなる断面三角形状の短尺のブロック体に形成され、長さ方向２カ所には、左縦枠１３に対する取付けのためのビス孔５２ｄ，５２ｄが上下方向に貫通するように設けられている。
框側引寄部材５２の傾斜面５２ｃの取付面５２ａに対する傾斜角は、枠側引寄部材５１の傾斜面５１ｃの取付面５１ａに対する傾斜角よりも大きく設定されている。
【００１８】
そして、框側引寄部材５２は、取付面５２ａの一方側が室内側、他方側が室外側となるように取付面５１ａを左縦框２３の外周面に当接させて、ビス孔５２ｄ，５２ｄを介してビス等の固定手段により固定することで、左縦框２３の内周面に配置される。
框側引寄部材５２は、枠側引寄部材５１が配置されている高さ位置において、左縦框２３の外周面に配置されることにより、框側引寄部材５２の傾斜面５２ｃは室外側に向くとともに枠側引寄面５１１に対向し、外周側にいくにしたがって室内側に傾斜する框側引寄面５２１となる。
【００１９】
（障子の閉鎖動作時の引寄手段）
縦すべり出し窓の障子２の閉鎖動作時においては、左縦框２３は、図６（ａ）に示すように、図示しない支軸を中心に時計回りに回転しながら、左縦枠１３に対して内周方向から近接するように移動する。この状態から、さらに障子２を閉鎖すると、図６（ｂ）に示すように、枠側引寄部材５１の室内側に向く枠側引寄面５１１に対して、框側引寄部材５２の框側引寄面５２１が当接し、枠側引寄面５１１に沿って框側引寄部材５２を室内側に引き寄せることができる。
ここで、框側引寄部材５２の框側引寄面５２１の傾斜角度と枠側引寄部材５１の枠側引寄面５１１の傾斜角度とを異ならせているので、傾斜面同士の当接が線接触となり、引寄時の移動がスムーズとなる。
そして、戸先側の右縦框２４と右縦枠１４との間に配置したロックピン７によって右縦框２４と右縦枠１４を固定することにより、障子２を枠体１に対して引き寄せて気密材ｓ１に押しつけた状態で、安定した閉鎖状態を維持することができる。
【００２０】
（框回転防止手段の構成）
天候等の影響により、障子に対して室外側より負圧が生じると、外周端が枠体に支持されている框には、支持されている部位を中心に框を回転させる力が生じ、框が枠体から外れる危険性があった。
本実施形態の縦すべり出し窓は、框を回転させる力が生じた際に、框が回転することを防止して、框が枠体から外れることを防止する框回転防止手段を備えている。
以下、本実施形態の縦すべり出し窓に使用される框回転防止手段について説明する。
【００２１】
本実施形態の縦すべり出し窓の框回転防止手段６は、図１に示すように、吊元側の上下２カ所に配置された引寄手段５，５の間、即ち、建具の高さ方向の略中央位置に設けられている。そして、枠体１の左縦枠１３の内周面に固定される枠側回転防止部材６１と、障子２の左縦框２３の外周面であって、枠側回転防止部材６１と対向する高さ位置に固定される框側回転防止部材６２とにより構成されている。
【００２２】
枠側回転防止部材６１は、合成樹脂等からなり、図５（ａ）に示すように、裏面を左縦枠１３の内周面に対する取付面６１ａとし、取付面６１ａの一方側に沿って垂直に立ち上がる第１垂直壁面６１ｂと、取付面６１ａの他方側に沿って垂直に立ち上がる第２垂直壁面６１ｃとを備えるとともに、表面の一方側に沿って突設する隆起部６１ｄとを備える断面略矩形状の短尺のブロック体により形成され、長手方向２カ所には、左縦枠１３に対する取付けのためのビス孔６１ｅ，６１ｅが上下方向に貫通するように設けられている。
【００２３】
そして、枠側回転防止部材６１は、取付面６１ａの一方側が室外側、他側が室内側となるように取付面６１ａを左縦枠１３の内周面に当接させて、ビス孔６１ｅ，６１ｅを介してビス等の固定手段により固定することで、左縦枠１３の外周面に配置される。
枠側回転防止部材６１が左縦枠１３の内周面に配置されることにより、枠側回転防止部材６１の隆起部６１ｄは左縦枠１３より内周方向に向かって突出して左縦框２３の外周面に近接する内周突出部６１２として構成されることとなり、また、枠側回転防止部材６１の第２垂直壁面６１ｃは室内側に向く室内側見付け面６１１として構成される。
【００２４】
一方、框側回転防止部材６２は、合成樹脂等からなり、図５（ｂ）に一例を示すように、裏面を左縦枠１３の内周面に対する取付面６２ａとし、取付面６２ａの一方側に沿って垂直に立ち上がる第１垂直壁面６２ｂと、取付面６２ａの他方側に沿って垂直に立ち上がる第２垂直壁面６２ｃとを備える断面略矩形状の短尺のブロック体により形成され、長さ方向２カ所には、左縦枠１３に対する取付けのためのビス孔６２ｅ，６２ｅが上下方向に貫通するように設けられている。
なお、図７（ａ），（ｂ）に示すように、枠側回転防止部材６１を框側回転防止部材６２と兼用させることもでき、それにより部品種類を減少させて部品管理の煩雑さを減少させることができる。
【００２５】
そして、框側回転防止部材６２は、取付面６２ａの一方側が室内側、他方側が室外側となるように取付面６２ａを左縦框２３の外周面に当接させて、ビス孔６２ｅ，６２ｅを介してビス等の固定手段により固定することで、左縦框２３の内周面に配置される。
框側回転防止部材６２が左縦框２３の外周面に配置されることにより、框側回転防止部材６２の第２垂直壁面６２ｃは室外側に向く室外側見付け面６２１として構成される。
【００２６】
（障子の閉鎖動作時の框回転防止手段）
障子２の閉鎖動作時において、框回転防止手段６の枠側回転防止部材６１及び框側回転防止部材６２は、図７（ａ）に示すように、近接するが、内周突出部６１２が室内側見付け面６１１を有する枠側回転防止部材６１の内周面の室外側から突出する隆起部６１ｄとして構成されているので、框側回転防止部材６２は、枠側回転防止部材６１の室内側に干渉することなく通過することができ、枠側回転防止部材６１の室内側に移行する。障子２の閉鎖が完了した時点では、図７（ｂ）に示すように、枠側回転防止部材６１の室内側見付け面６１１と框側回転防止部材６２の室外側見付け面６２１とが間隔ｔをあけて室内外方向に対向し、枠側回転防止部材６１の内周突出部６１２は、左縦框２３の室外側外周面に近接した状態に位置されることとなる。
【００２７】
（障子に負圧がかかった時の框回転防止手段）
図６（ｂ），図８（ａ）に示す障子２の閉鎖状態において、天候等を原因として建具の室外側に対して大きな負圧がかかると、障子２全体を室外側に引っ張る力が働く。
この引っ張り力により、左縦框２３には、枠側引寄部材５１の枠側引寄面５１１と框側引寄部材５２の框側引寄面５２１との当接部を中心とする回転力が生じ、左縦框２３は回転しながら枠側引寄面５１１に沿って室外側に移動していく。
【００２８】
このとき、框側回転防止部材６２の室外側見付け面６２１が枠側回転防止部材６１の室内側見付け面６１１に室内外方向に対向していることから、左縦框２３が室外側に距離ｔ移動すると、図８（ｂ）に示すように、室外側見付け面６２１が室内側見付け面６１１に当接してそれ以上の室外側への移動が阻止されることとなる。
【００２９】
ここで、室外側見付け面６２１が室内側見付け面６１１に当接すると、室外側見付け面６２１と室内側見付け面６１１との当接部を中心にして、左縦框２３を回転させる力が生じ、左縦框２３を反時計回りに回転させる力がさらに生じるが、図８（ｃ）に示すように、枠側回転防止部材６１の内周突出部６１２が左縦框２３の外周面に当接することで、それ以上の左縦框２３の回転を抑制することができる。
したがって、左縦框２３は、それ以上回転やねじれとの変形が生じることなく、引寄手段５における係合が外れることを防止することができる。
【００３０】
以上のように、本実施形態においては、枠体及び障子の框に配置した枠側回転防止部材に、框の回転時に框の外周面に当接する内周突出部を設けたので、框が回転して引寄手段等による係合が外れる前に、框のねじれや回転を効果的に抑制することができ、框が枠体から離脱することを防止できる。
【符号の説明】
【００３１】
１      ：枠体
１１    ：上枠
１１１  ：上枠本体部
１１２  ：室内側垂下壁部
１１３  ：上気密材取付部
１２    ：下枠
１２１  ：下枠本体部
１２２  ：立上壁
１２３  ：下枠補助枠
１３    ：左縦枠
１３１  ：縦枠本体部
１３２  ：右内壁部
１４    ：右縦枠
１４１  ：縦枠本体部
１４２  ：右内壁部
２      ：障子
２１    ：上框
２１１  ：上框本体部
２１２  ：上框室外壁部
２１３  ：押縁
２２    ：下框
２２１  ：下框本体部
２２２  ：下框外壁部
２３    ：左縦框
２３１  ：縦框本体部
２３２  ：右縦框外壁部
２３３  ：押縁
２４    ：右縦框
２４１  ：縦框本体部
２４２  ：右縦框外壁部
２４３  ：押縁
５      ：引寄手段
５１    ：枠側引寄部材
５１ａ  ：取付面
５１ｂ  ：垂直壁面
５１ｃ  ：傾斜面
５１ｄ  ：ビス孔
５１１  ：枠側引寄面
５２    ：框側引寄部材
５２ａ  ：取付面
５２ｂ  ：垂直壁面
５２ｃ  ：傾斜面
５２ｄ  ：ビス孔
５２１  ：框側引寄面
６      ：框回転防止手段
６１    ：枠側回転防止部材
６１ａ  ：取付面
６１ｂ  ：第１垂直壁面
６１ｃ  ：第２垂直壁面
６１ｄ  ：隆起部
６１ｅ  ：ビス孔
６１１  ：室内側見付け面
６１２  ：内周突出部
６２    ：框側回転防止部材
６２ａ  ：取付面
６２ｂ  ：第１垂直壁面
６２ｃ  ：第２垂直壁面
６２ｅ  ：ビス孔
６２１  ：室外側見付け面
７      ：ロックピン
【図１】
0006595322.tif 000002
【図２】
0006595322.tif 000003
【図３】
0006595322.tif 000004
【図４】
0006595322.tif 000005
【図５】
0006595322.tif 000006
【図６】
0006595322.tif 000007
【図７】
0006595322.tif 000008
【図８】
0006595322.tif 000009